(57)【要約】【課題】装置構成の簡単小型化及び低価格化を図った上で、互いに異なる複数の通信回線を接続可能とする端末装置を提供する。【解決手段】ＩＰ電話機にアナログＣＯネットワークＡＮＷを接続するためのモジュラージャック２７及びアナログＣＯインタフェース部２７を内蔵させ、かつＣＰＵ２９にてＤＳＰ２２、アナログスイッチ２８２，２８３を制御することにより、ハンドセット１３のマイクロホン１３１、スピーカ１３２及びマイクアンプ２３１、スピーカアンプ２３４をＩＰ電話とアナログＣＯ通話とで共用するようにした。【選択図】      図３
2007318614.tif 000002
【特許請求の範囲】
【請求項１】
第１の通信回線を接続可能とし、音声入力器により入力される第１の音声信号を変換器により前記第１の通信回線を伝送するための第２の音声信号に変換して前記第１の通信回線に送信すると共に、前記第１の通信回線から受信した第２の音声信号を前記変換器により前記第１の音声信号に変換して音声出力器により出力する電話アプリケーション機能を有する端末装置において、
前記第１の音声信号を伝送する第２の通信回線を接続する接続手段と、
前記第１及び前記第２の通信回線に対し共通に設けられ、回線の使用要求に応じて、前記音声入力器により入力された第１の音声信号を処理して前記変換器または前記第２の通信回線に選択的に導出し、前記変換器または前記第２の通信回線から出力される第１の音声信号を処理して前記音声出力器に出力する処理手段とを具備したことを特徴とする端末装置。
【請求項２】
前記処理手段は、
前記音声信号の増幅利得を任意に設定可能な音声増幅器と、
前記使用要求に応じて、前記音声増幅器の増幅利得を制御する制御器とを備えたことを特徴とする請求項１記載の端末装置。
【請求項３】
さらに、前記第２の通信回線が使用される国を示す国ＩＤと前記増幅利得との対応関係を表す国対応テーブルを記憶する記憶手段を備え、
前記制御器は、前記国ＩＤを含む回線の使用要求発生時に、前記国対応テーブルを参照し、この参照結果に基づいて前記音声増幅器の増幅利得を制御することを特徴とする請求項２記載の端末装置。
【請求項４】
さらに、前記第２の通信回線上の接続先を示す接続ＩＤと前記増幅利得との対応関係を表す接続先対応テーブルを記憶する記憶手段を備え、
前記制御器は、前記接続ＩＤを含む回線の使用要求発生時に、前記接続先対応テーブルを参照し、この参照結果に基づいて前記音声増幅器の増幅利得を制御することを特徴とする請求項２記載の端末装置。
【請求項５】
さらに、前記第２の通信回線が使用される国を示す国ＩＤと前記第２の通信回線上の接続先を示す接続ＩＤと前記増幅利得との対応関係を表すテーブルを記憶する記憶手段を備え、
前記制御器は、前記国ＩＤ及び接続先ＩＤを含む回線の使用要求発生時に、前記テーブルを参照し、この参照結果に基づいて前記音声増幅器の増幅利得を制御することを特徴とする請求項２記載の端末装置。
【請求項６】
前記第１の通信回線がパケット通信回線であり、前記第２の通信回線がアナログ通信回線であるとき、
前記処理手段は、回線の使用要求に応じて、前記音声入力器により入力されたアナログ音声信号を処理して前記変換器または前記アナログ通信回線に選択的に導出し、前記変換器または前記アナログ通信回線から出力されるアナログ音声信号を処理して前記音声出力器に出力することを特徴とする請求項１記載の端末装置。
【発明の詳細な説明】
【技術分野】
【０００１】
この発明は、例えば音声パケットを伝送するＩＰ（Internet Protocol）網に接続可能な電話アプリケーション機能を有する端末装置に関する。
【背景技術】
【０００２】
近年では、ＬＡＮ（Local Area Network）やインターネット等のＩＰ網に通話処理機能とメディア情報処理機能とを備えたＩＰ電話機を接続すると共に、ＩＰ網を主装置またはゲートウェイを介してアナログ電話網に接続し、ゲートウェイまたは主装置においてアドレス変換等を行うことにより、ＩＰ電話機相互間及びＩＰ電話機とアナログ電話網との間で通信を可能にするシステムが提唱されている。
【０００３】
ところで、上記システムでは、ＩＰ電話機が設置されている場所とゲートウェイが設置されている場所は同じではなく、ＩＰ電話機は大阪、ゲートウェイは東京というようなことがあり、大阪のＩＰ電話機から東京のアナログ電話網から発信することで長距離電話が避けられる等の有利な点がある。しかし、ＩＰ網上で発信元の位置を特定することが困難であるため、適切な施設への緊急通報ができない。
【０００４】
このため、従来では、ＩＰ電話機とは別にアナログ電話網に接続するためのアナログ電話機を併設することとなり、ＩＰ電話機のユーザの経済的負担が大きくなる。
【０００５】
なお、従来では、インターネット電話機に、公衆回線のアナログ電話機の機能を有した電話回路を内蔵し、選択回路によりインターネットへ接続するか公衆回線へ接続するかを切り替える手法も考えられている（例えば、特許文献１）。
【特許文献１】特願２００４−２３５７７９公報。
【発明の開示】
【発明が解決しようとする課題】
【０００６】
ところが、上記手法では、インターネット電話機内に、インターネットへ接続するか公衆回線へ接続するかを切り替えるための選択回路を設ける分、構成が大型になる。
【０００７】
そこで、この発明の目的は、装置構成の簡単小型化及び低価格化を図った上で、互いに異なる複数の通信回線を接続可能とする端末装置を提供することにある。
【課題を解決するための手段】
【０００８】
この発明は、上記目的を達成するために、以下のように構成される。  
第１の通信回線を接続可能とし、音声入力器により入力される第１の音声信号を変換器により第１の通信回線を伝送するための第２の音声信号に変換して第１の通信回線に送信すると共に、第１の通信回線から受信した第２の音声信号を変換器により第１の音声信号に変換して音声出力器により出力する電話アプリケーション機能を有する端末装置において、第１の音声信号を伝送する第２の通信回線を接続する接続手段と、第１及び第２の通信回線に対し共通に設けられ、回線の使用要求に応じて、音声入力器により入力された第１の音声信号を処理して変換器または第２の通信回線に選択的に導出し、変換器または第２の通信回線から出力される第１の音声信号を処理して音声出力器に出力する処理手段とを備えるようにしたものである。なお、処理手段は、音声信号の増幅利得を任意に設定可能な音声増幅器と、使用要求に応じて、音声増幅器の増幅利得を制御する制御器とを備えるようにしている。
【０００９】
この構成によれば、端末装置内に第２の通信回線を接続するための接続部のみを内蔵し、かつ第２の通信回線を伝送する音声信号を処理するための音声増幅器及び制御器を、端末装置に既に備えられている第１の通信回線用の音声増幅器及び制御器により共用するようにしている。
【００１０】
従って、第２の通信回線を伝送する音声信号を処理するための音声増幅器及び制御器を備える必要がなく、これにより比較的小型でかつ安価な端末装置を提供することができる。
【００１１】
さらに、第２の通信回線が使用される国を示す国ＩＤと増幅利得との対応関係を表す国対応テーブルを記憶する記憶手段を備え、制御器は、国ＩＤを含む回線の使用要求発生時に、国対応テーブルを参照し、この参照結果に基づいて音声増幅器の増幅利得を制御することを特徴とする。
【００１２】
この構成によれば、メモリに蓄積管理された国別の増幅利得に関する情報を用いて、音声増幅器の増幅利得の制御等が行われるので、国ＩＤを含む回線の使用要求を発生するという簡単な手順で使用する国の規格に適合した通話レベルに設定し得る。
【００１３】
さらに、第２の通信回線上の接続先を示す接続ＩＤと増幅利得との対応関係を表す接続先対応テーブルを記憶する記憶手段を備え、制御器は、接続ＩＤを含む回線の使用要求発生時に、接続先対応テーブルを参照し、この参照結果に基づいて音声増幅器の増幅利得を制御することを特徴とする。
【００１４】
この構成によれば、メモリに蓄積管理された接続先別の増幅利得に関する情報を用いて、音声増幅器の増幅利得の制御等が行われるので、接続ＩＤを含む回線の使用要求を発生するという簡単な手順で接続先に適合した通話レベルに設定し得る。
【発明の効果】
【００１５】
以上詳述したようにこの発明によれば、装置構成の簡単小型化及び低価格化を図った上で、互いに異なる複数の通信回線を接続可能とする端末装置を提供することができる。
【発明を実施するための最良の形態】
【００１６】
以下、この発明の実施形態について図面を参照して詳細に説明する。  
（第１の実施形態）  
図１は、この発明に係わるＩＰ電話機が適用されるシステムの概略構成図であり、ＣＭは家もしくは企業等のユーザシステムを示している。
【００１７】
ユーザシステムＣＭは、複数のＩＰ電話機ＩＰＴ１〜ＩＰＴ３を備えている。なお、同図では説明の簡単なため３台のＩＰ電話機ＩＰＴ１〜ＩＰＴ３のみを示している。このうち、ＩＰ電話機ＩＰＴ３は、パーソナル・コンピュータＰＣを接続している。
【００１８】
ＩＰ電話機ＩＰＴ１〜ＩＰＴ３は、ＬＡＮ１及びルータＲＴを介してインターネットＩＮＷに接続される。また、ＩＰ電話機ＩＰＴ１〜ＩＰＴ３は、アナログＣＯネットワークＡＮＷに接続される。
【００１９】
図２は、上記ＩＰ電話機ＩＰＴ１〜ＩＰＴ３を示す外観図である。ここでは、ＩＰ電話機ＩＰＴ１を代表して説明する。
【００２０】
ＩＰ電話機ＩＰＴ１の前面パネル部には、ＬＣＤ等を使用した表示部１１が配置され、さらにこの表示部１１の下方パネル部にはダイヤルキー、機能キー等からなるキーマトリクス１２が配設されている。また、ＩＰ電話機ＩＰＴ１の前面パネル部の図中左側には、スピーカ、マイクを備えたハンドセット１３が配設されている。
【００２１】
一方、ＩＰ電話機ＩＰＴ１の回路構成は次のようになっている。図３はその構成を示すブロック図である。
【００２２】
ＩＰ電話機ＩＰＴ１は、外部インタフェース部（外部ＩＦ）２１と、ＤＳＰ（Digital Signal Processor）２２と、音声入出力インタフェース部２３,２４,２５と、モジュラージャック２６と、アナログＣＯインタフェース部２７と、アナログ音声入出力インタフェース部２８と、ＣＰＵ（Central Processing Unit）２９と、フラッシュメモリ３０とを備えている。
【００２３】
外部インタフェース部（外部ＩＦ）２１は、ＬＡＮ１に関するインタフェース動作を行う。つまり、外部インタフェース部２１は、ＬＡＮ１から送られてきた伝送パケットから音声パケットや制御データを抽出し、音声パケットをＤＳＰ２２へ、また制御データをＣＰＵ２９へと与える。また外部インタフェース部２１は、ＤＳＰ２２から与えられる音声パケットにＣＰＵ２９から与えられるデータを多重して、ＬＡＮ１に送信する。
【００２４】
ＤＳＰ２２は、外部インタフェース部２１から与えられる音声パケットをデジタルの受話音声信号に変換して音声入出力インタフェース部２３に与える。また、ＤＳＰ２２は、音声入出力インタフェース部２３から入力されたデジタルの送話音声信号をＬＡＮ１で取り扱い可能な音声パケットに変換して外部インタフェース部２１に与える。
【００２５】
音声入出力インタフェース部２３には、上記ハンドセット１３のマイクロホン１３１及びスピーカ１３２が接続されている。音声入出力インタフェース部２３は、マイクロホン１３１により入力された送話音声信号をマイクアンプ２３１で所定レベル増幅し、Ａ／Ｄ（アナログ／デジタル）変換器２３２でデジタルの送話音声信号に変換した後、ＤＳＰ２２に入力する。また、音声入出力インタフェース部２３は、ＤＳＰ２２から出力された受話音声信号をデジタル／アナログ変換器２３３でアナログの受話音声信号に変換した後、スピーカアンプ２３４で増幅してスピーカ１３２から音響再生する。
【００２６】
また、音声入出力インタフェース部２４には、ＩＰ電話機ＩＰＴ１に対し無線により接続されるヘッドセットのマイクロホン４１及びスピーカ４２が接続されている。さらに、音声入出力インタフェース部２５には、ＩＰ電話機ＩＰＴ１に内蔵のマイクロホン５１及びスピーカ５２が接続されている。
【００２７】
モジュラージャック２６には、アナログＣＯネットワークＡＮＷが必要に応じて接続される。
【００２８】
アナログＣＯインタフェース部２７は、モジュラージャック２６を介して接続されるアナログＣＯネットワークＡＮＷに関するインタフェース動作を行う。つまり、アナログＣＯインタフェース部２７は、主に直流ループ回路、着信検出回路および２線４線変換回路を包含し、アナログＣＯネットワークＡＮＷから送られてきた伝送信号のうち音声信号をアナログ音声入出力インタフェース部２８へ、また制御信号をＣＰＵ２９へと与える。またアナログＣＯインタフェース部２７は、アナログ音声入出力インタフェース部２８から与えられる音声信号をアナログＣＯネットワークＡＮＷに送信する。
【００２９】
アナログ音声入出力インタフェース部２８は、マイクロホン１３１により入力された送話音声信号を送話アンプ２８１で所定レベル増幅し、アナログスイッチ２８２を介してアナログＣＯ回路２７に入力する。また、アナログ音声入出力インタフェース部２８は、アナログＣＯインタフェース部２７から出力された受話音声信号をアナログスイッチ２８３を介して受話アンプ２８４で増幅して音声入出力インタフェース部２３に出力する。すると、受話音声信号は、スピーカ１３２から音響再生される。
【００３０】
ＣＰＵ２９は、ソフトウェア処理によりＩＰ電話機ＩＰＴ１の各部の制御やＬＡＮ１またはアナログＣＯネットワークＡＮＷとの間での通信処理を行う。また、ＣＰＵ２９は、上記キーマトリクス１２またはＣＯボタン３１によりユーザからのアナログ回線使用要求が受け付けられた場合に、アナログスイッチ２８２，２８３をオンさせる。なお、通常はアナログスイッチ２８２，２８３をオフさせている。さらに、ＣＰＵ２９は、アナログＣＯでＤＴＭＦ（Dual Tone Multi Frequency）発信するときには、トーンジェネレータ２８５で作成したＤＴＭＦ信号をアナログスイッチ２８６を介してアナログＣＯネットワークＡＮＷに送出する。このとき、アナログスイッチ２８２はオープンに制御する。
【００３１】
次に、上記構成における動作について説明する。  
ＩＰ電話機ＩＰＴ１のユーザが、ＩＰ電話機ＩＰＴ１においてＣＯボタン３１を押下することにより、アナログＣＯ通話要求を行ったとする。すると、ＣＰＵ２９は、アナログスイッチ２８２，２８３をオンに切り替えるとともに、ＤＳＰ２２内でＩＰ電話側の音声信号をＡ／Ｄ変換器２３２及びＤ／Ａ変換器２３３に伝達しないようにＤＳＰ２２を制御することで、アナログＣＯ通話とＩＰ電話の通話の切り替えを行うことが可能となる。
【００３２】
以上のように上記第１の実施形態では、ＩＰ電話機ＩＰＴ１にアナログＣＯネットワークＡＮＷを接続するためのモジュラージャック２７及びアナログＣＯインタフェース部２７を内蔵させ、かつＣＰＵ２９にてＤＳＰ２２、アナログスイッチ２８２，２８３を制御することにより、ハンドセット１３のマイクロホン１３１、スピーカ１３２及びマイクアンプ２３１、スピーカアンプ２３４をＩＰ電話とアナログＣＯ通話とで共用するようにしている。
【００３３】
従って、アナログＣＯ通話用のマイクロホン、スピーカ、マイクアンプ、スピーカアンプを別途に用意する必要がなく、これによりＩＰ電話機ＩＰＴ１を比較的簡単かつ小型に構成することができる。
【００３４】
また、上記第１の実施形態によれば、ハンドセット１３に直接つながるアナログスイッチを不要とすることができる。
【００３５】
（第２の実施形態）  
図４は、この発明の第２の実施形態として、ＩＰ電話機ＩＰＴ１の回路構成を示すブロック図である。なお、図４において、上記図３と同一部分には同一符号を付して詳細な説明を省略する。
【００３６】
音声入出力インタフェース部２３において、マイクロホン１３１とＡ／Ｄ変換器２３２との間に、任意にアンプゲインを制御可能なマイクアンプ２３５を介挿接続している。
【００３７】
アナログ音声入出力インタフェース部２８において、マイクロホン１３１及びマイクアンプ２３５とアナログスイッチ２８２との間に、任意にアンプゲインを制御可能な送話アンプ２８７を介挿接続している。また、スピーカ１３２及びスピーカアンプ２３４とアナログスイッチ２８３との間に、任意にアンプゲインを制御可能な受話アンプ２８８を介挿接続している。
【００３８】
マイクアンプ２３５、送話アンプ２８７及び受話アンプ２８７は、それぞれＣＰＵ２９によりアンプゲインが制御される。
【００３９】
フラッシュメモリ３０には、図５（ａ）に示すように、設置国と受話アンプ２８８に設定すべく受話アンプゲインとの対応関係を表すデータが記憶されている。また、図５（ｂ）に示すように、設置国と送話アンプ２８７に設定すべく送話アンプゲインとの対応関係を表すデータが記憶されている。
【００４０】
さらに、フラッシュメモリ３０には、図６（ａ）に示すように、設置国とＤＳＰ２２に設定すべく受話アンプゲインとの対応関係を表すデータが記憶されている。また、図６（ｂ）に示すように、設置国とマイクアンプ２３５に設定すべく送話アンプゲインとの対応関係を表すデータが記憶されている。
【００４１】
次に、上記構成における動作について説明する。  
ＩＰ電話機ＩＰＴ１のユーザが、ＩＰ電話機ＩＰＴ１においてＣＯボタン３１を押下することにより、アナログＣＯ通話要求を行ったとする。このとき、設置国が例えば米国ならば国ＩＤ「ＵＳ」をキーマトリクス１２により入力する。
【００４２】
すると、ＣＰＵ２９は、アナログスイッチ２８２，２８３をオンに切り替えるとともに、フラッシュメモリ３０中の「ＵＳ」に対応する送話アンプゲイン「−１」を読み出して、この「−１」に合わせるように送話アンプ２８７のアンプゲインを制御し、フラッシュメモリ３０中の「ＵＳ」に対応する受話アンプゲイン「−８」を読み出して、この「−８」に合わせるように受話アンプ２８８のアンプゲインを制御する。
【００４３】
一方、ユーザがキーマトリックス１２を操作してスピーカボリュームを任意の音量ボリューム値「５」に設定した場合に、ＣＰＵ２９はこのボリューム値「５」に対応する受話アンプゲイン「−４」をフラッシュメモリ３０から読み出し、この受話アンプゲイン「−４」に合わせて受話アンプ２８８のアンプゲインを制御する。
【００４４】
また、アナログ音声入出力インタフェース部２８は、アナログスイッチ２８９、受話アンプ２８１０、アナログスイッチ２８１１及び送話アンプ２８１２により、ヘッドセットの音声入出力インタフェース部２４と共用できる。
【００４５】
さらに、アナログ音声入出力インタフェース部２８は、アナログスイッチ２８１３、受話アンプ２８１４、アナログスイッチ２８１５及び送話アンプ２８１６により、ＩＰ電話機ＩＰＴ１に内蔵のスピーカ・マイクの音声入出力インタフェース部２５と共用できる。
【００４６】
以上のように上記第２の実施形態では、ＩＰ電話機ＩＰＴ１において、フラッシュメモリ３０に蓄積管理された国別の送話アンプゲイン及び受話アンプゲインに関する情報を用いて、ＤＳＰ２２、マイクアンプ２３５、受話アンプ２８８及び送話アンプ２８７それぞれのアンプゲインの制御を行うようにしている。
【００４７】
従って、ＬＡＮ１またはアナログＣＯネットワークＡＮＷへの通話要求発生時に国ＩＤを指定する簡単な操作で使用する国の規格に適合した通話レベルに設定することができる。また、同様にＤＴＭＦレベルもその国の規格に適合可能となる。
【００４８】
ＩＰ電話機ＩＰＴ１はＩＰという特性上通話レベルは標準化されており、世界各国に適合した電話機となるが、アナログＣＯは各国地域により通話レベルやＤＴＭＦのレベルなど独自に規程されていることが多く、専用の電話機になることが少なくない。この方法により、アナログＣＯを接続する端末であるにもかかわらず、各国に対応可能な端末が提供できる。
【００４９】
さらに、上記第２の実施形態の変形例として、上記の設置国情報と同様に、アナログＣＯネットワークＡＮＷ上の接続先が、公衆回線でなく事業所向けＰＢＸ（Private Branch Exchange）の場合には、直流ループに流れる回線電流が通常の公衆回線よりも少ない場合がある。この場合に、電流が少ないことから遠距離接続と誤認して送話アンプゲインや受話アンプゲインを大きくしてしまうことがある。
【００５０】
そこで、ＰＢＸ接続において、図７（ａ）に示すように、設置国と受話アンプ２８８に設定すべく受話アンプゲインとの対応関係を表すデータをフラッシュメモリ３０に記憶するとともに、図７（ｂ）に示すように、設置国と送話アンプ２８７に設定すべく送話アンプゲインとの対応関係を表すデータをフラッシュメモリ３０に記憶しておくようにすれば、接続先別に送話アンプ２８７及び受話アンプ２８８それぞれのアンプゲインを可変することが可能となる。
【００５１】
このＰＢＸ接続という情報の格納方法は、キーマトリックス１２から手入力で設定することも可能である。
【００５２】
２４Ｖ系のＰＢＸの場合には、アナログＣＯインタフェース部２７でアナログ回線の直流回路を閉じていない時のアナログ回線端子電圧を測定する回路を持ち、かつその測定情報を同機器内の制御回路に伝達することで自動的にゲインを可変することも可能である。
【００５３】
（その他の実施形態）  
なお、この発明は上記各実施形態に限定されるものではない。例えば、上記各実施形態では、ＩＰ電話機を例に説明をしてきたが、デジタルボタン電話機のようなビジネスホンでも同じようなことが、起こりえる。ビジネスホンでも専用のデジタル回線を介して専用ＰＢＸ（主装置）に接続され、その主装置が別の主装置と専用回線を通じて接続し、その別の主装置からアナログ回線網に発信することがあり、この場合上記のＩＰ電話機と同様なことが起こりえる。そこで、ＩＰ電話機に限定するものではなく、ビジネス用のデジタル電話機も包含する。
【００５４】
また、上記各実施形態では、電話アプリケーションを搭載したパーソナル・コンピュータや音声信号を取り扱う電子機器にも適用できる。
【００５５】
さらに、上記第２の実施形態の変形例では、接続先と国とを組み合わせと、アンプゲインとの対応関係について説明したが、国を除いて接続先とアンプゲインとの対応関係を表すデータをフラッシュメモリに登録しておくようにしてもよい。
【００５６】
その他、電話機といった端末装置の種類及びその構成、送話アンプゲイン及び受話アンプゲインといった増幅利得の制御手順等についても、この発明の要旨を逸脱しない範囲で種々変形して実施できる。
【図面の簡単な説明】
【００５７】
【図１】この発明の第１の実施形態に係わるＩＰ電話機が適用されるシステムの概略構成図。
【図２】上記図１に示したＩＰ電話機の外観図。
【図３】上記図１に示したＩＰ電話機の回路構成を示すブロック図。
【図４】この発明の第２の実施形態として、ＩＰ電話機の回路構成を示すブロック図。
【図５】上記図４に示したフラッシュメモリに記憶される設置国と送話アンプゲイン及び受話アンプゲインとの対応関係を表すデータの一例を示す図。
【図６】上記図４に示したフラッシュメモリに記憶される設置国と送話アンプゲイン及び受話アンプゲインとの対応関係を表すデータの一例を示す図。
【図７】この発明の第２の実施形態の変形例として、上記図４に示したフラッシュメモリに記憶される接続先別の設置国と送話アンプゲイン及び受話アンプゲインとの対応関係を表すデータの一例を示す図。
【符号の説明】
【００５８】
１…ＬＡＮ、１１…表示部、１２…キーマトリックス、１３…ハンドセット、２１…外部インタフェース部、２２…ＤＳＰ、２３，２４，２５…音声入出力インタフェース部、２６…モジュラージャック、２７…アナログＣＯインタフェース部、２８…アナログ音声入出力インタフェース部、２９…ＣＰＵ、３０…フラッシュメモリ、３１…ＣＯボタン、３２…フックスイッチ、１３１…マイクロホン、１３２…スピーカ、２３１，２３５…マイクアンプ、２３２…Ａ／Ｄ変換器、２３３…Ｄ／Ａ変換器、２３４…スピーカアンプ、２８１，２８７，２８１２，２８１６…送話アンプ、２８２，２８３，２８６，２８９，２８１１，２８１３，２８１５…アナログスイッチ、２８４，２８８，２８１０，２８１４…受話アンプ、ＡＮＷ…アナログＣＯネットワーク、ＩＰＴ１，ＩＰＴ２、ＩＰＴ…ＩＰ電話機、ＲＴ…ルータ、ＩＮＷ…インターネット。
【図１】
2007318614.tif 000003
【図２】
2007318614.tif 000004
【図３】
2007318614.tif 000005
【図４】
2007318614.tif 000006
【図５】
2007318614.tif 000007
【図６】
2007318614.tif 000008
【図７】
2007318614.tif 000009